(57)【要約】【課題】宛先指定または登録時に、論理アドレスと実アドレスの両方を扱うことができる画像通信装置を提供する。【解決手段】公衆網インターフェース及びネットワークインターフェースを持ち、直接入力された電話番号あるいはワンタッチダイヤルに登録された電話番号を論理アドレスとして扱うかどうか指定をする機能と、論理アドレスとして指定された場合にはネットワーク上のデータベースから実際に送信可能なアドレス情報を取得し、画像を送信する機能と、を有するシステム制御部１を備える画像通信装置。【選択図】図１
2007251289.tif 000002
【特許請求の範囲】
【請求項１】
公衆網インターフェース及びネットワークインターフェースを持ち、直接入力された電話番号あるいはワンタッチダイヤルに登録された電話番号を論理アドレスとして扱うかどうか指定をする手段と、論理アドレスとして指定された場合にはネットワーク上のデータベースから実際に送信可能なアドレス情報を取得し、画像を送信する手段と、を有するシステム制御部を備えることを特徴とする画像通信装置。
【請求項２】
請求項１に記載の画像通信装置において、前記システム制御部は、論理アドレスとして入力された電話番号についてネットワーク上のデータベースからアドレス情報を取得できない場合には、入力された電話番号を送信先アドレスとして処理することを特徴とする画像通信装置。
【請求項３】
公衆網インターフェース及びネットワークインターフェースを持ち、電話番号入力時またはアドレス帳登録時に論理アドレスか実アドレスかを指定せず、送信時にネットワーク上のデータベースから実アドレス情報の取得を試みて、アドレス情報が取得できた場合は取得できたアドレスへ送信する手段と、取得できない場合は実アドレスとして送信処理する手段と、を有するシステム制御部を備えることを特徴とする画像通信装置。
【請求項４】
請求項３に記載の画像通信装置において、前記システム制御部は、実アドレスとして送信が成功したアドレスについて学習し、アドレス指定時に学習された実アドレスに該当する場合は、ネットワーク上のデータベースに問い合わせすることなく送信することを特徴とする画像通信装置。
【請求項５】
請求項４に記載の画像通信装置において、前記システム制御部は、ネットワーク上のデータベースから複数のアドレス情報を取得した場合には優先度順に接続処理をすることを特徴とする画像通信装置。
【請求項６】
請求項１乃至４の何れか一項に記載の画像通信装置において、前記システム制御部は、ネットワーク上のデータベースから複数の実アドレスが取得できた場合には、全てのアドレスに対して同一情報を同報送信することを特徴とする画像通信装置。
【請求項７】
請求項６に記載の画像通信装置において、前記システム制御部は、さらに、送信画像に複数の実アドレスに対して同報送信したメッセージを挿入することを特徴とする画像通信装置。
【発明の詳細な説明】
【技術分野】
【０００１】
本発明は、ネットワークファクシミリ装置に代表される画像通信装置に関する。
【背景技術】
【０００２】
今日インターネットの急速な発展により電話番号とインターネットの各種アドレスを変換する仕組みであるＥＮＵＭ（ＩＥＴＦ  ＲＦＣ２９１６）が注目されている。ＥＮＵＭにおいては、電話番号とネットワーク上の様々なアドレスを対応づけることで、電話番号からメールアドレスやＵＲＬ等を検索できるのでユーザがサービス毎に複雑なアドレスを覚える必要がないというメリットがある。
具体的には電話番号をＥ．１６４勧告で規定されるＥ．１６４番号に変換し、さらにＥＮＵＭ用ドメイン名へ変換してＤＮＳサーバへ問い合わせることでＤＮＳサーバに登録された資源レコード（ＮＡＰＴＲレコード）からサービス情報を受け取ることができる。
ＤＮＳサーバの資源レコードにはサービスプロトコルとそのＵＲＩを登録することができ、また優先度を指定して複数登録することが考えられている。
（例）
電話番号：03-1234-5678
↓
Ｅ．１６４番号：＋81-3-1234-5678
↓
ドメイン名：8.7.6.5.4.3.2.1.3.1.8.e164.arpa
↓
ＤＮＳに問い合わせ
サービス例：
sip:abc@ricoh.co.jp
mailto:fax@ricoh.co.jp
tel:+81312345678;svc=fax
【発明の開示】
【発明が解決しようとする課題】
【０００３】
従来は入力された電話番号に対してプロトコルの属性（Ｇ３／Ｇ４）が固定的に指定されて処理されるため、例えば、ネットワークＦＡＸのように１台で複数のプロトコルサービスの機能を持っていたとしても、ＥＮＵＭのような論理アドレスの仕組みに対応することはできていなかった。
本発明は、宛先指定または登録時に、論理アドレスと実アドレスの両方を扱うことができる画像通信装置を提供することを目的とする。
【課題を解決するための手段】
【０００４】
上記目的を達成するために、請求項１記載の発明は、公衆網インターフェース及びネットワークインターフェースを持ち、直接入力された電話番号あるいはワンタッチダイヤルに登録された電話番号を論理アドレスとして扱うかどうか指定をする手段と、論理アドレスとして指定された場合にはネットワーク上のデータベースから実際に送信可能なアドレス情報を取得し、画像を送信する手段と、を有するシステム制御部を備えることを特徴とする。
請求項２記載の発明は、請求項１に記載の画像通信装置において、前記システム制御部は、論理アドレスとして入力された電話番号についてネットワーク上のデータベースからアドレス情報を取得できない場合には、入力された電話番号を送信先アドレスとして処理することを特徴とする。
請求項３記載の発明は、公衆網インターフェース及びネットワークインターフェースを持ち、電話番号入力時またはアドレス帳登録時に論理アドレスか実アドレスかを指定せず、送信時にネットワーク上のデータベースから実アドレス情報の取得を試みて、アドレス情報が取得できた場合は取得できたアドレスへ送信する手段と、取得できない場合は実アドレスとして送信処理する手段と、を有するシステム制御部を備えることを特徴とする。
【０００５】
請求項４記載の発明は、請求項３に記載の画像通信装置において、前記システム制御部は、実アドレスとして送信が成功したアドレスについて学習し、アドレス指定時に学習された実アドレスに該当する場合は、ネットワーク上のデータベースに問い合わせすることなく送信することを特徴とする。
請求項５記載の発明は、請求項４に記載の画像通信装置において、前記システム制御部は、ネットワーク上のデータベースから複数のアドレス情報を取得した場合には優先度順に接続処理をすることを特徴とする。
請求項６記載の発明は、請求項１乃至４の何れか一項に記載の画像通信装置において、前記システム制御部は、ネットワーク上のデータベースから複数の実アドレスが取得できた場合には、全てのアドレスに対して同一情報を同報送信することを特徴とする。
請求項７記載の発明は、請求項６に記載の画像通信装置において、前記システム制御部は、さらに、送信画像に複数の実アドレスに対して同報送信したメッセージを挿入することを特徴とする。
【発明の効果】
【０００６】
本発明の画像通信装置は、公衆網インターフェース及びネットワークインターフェースを持ち、直接入力された電話番号あるいはワンタッチダイヤルに登録された電話番号を論理アドレスとして扱うかどうか指定をする機能、論理アドレスとして指定された場合にはネットワーク上のデータベースから実際に送信可能なアドレス情報を取得し、画像を送信する機能を有するシステム制御部を備えるので、宛先指定または登録時に、論理アドレスと実アドレスの両方を扱うことができる。
【発明を実施するための最良の形態】
【０００７】
以下、本発明の実施の形態を図面に従って説明する。
図１は本発明の実施の形態に係る画像通信装置のブロック図である。この画像通信装置は、具体的には、ネットワークファクシミリ装置（ＦＡＸ、メール型インターネットＦＡＸ（Ｔ．３７）、インターネットＦＡＸ（Ｔ．３８））である。
図１において、システム制御部１は、装置全体の機能を制御する。ユーザＩ／Ｆ部２は、ワンタッチダイヤルキー、システム設定等に必要な各種キー、ディスプレイを持つ。スキャナ部３は、原稿を読み取るユニットである。プロッタ部４は、受信原稿やレポートリストを紙に出力するユニットである。メモリ部５は、送受信画像の蓄積ユニットである。またシステム設定情報も管理する。
ネットワークＩ／Ｆ部６は、ＬＡＮまたはインターネットとのインターフェースであり、ネットワークを介して種々のデータをやり取りする機能を持つ。また、ＥＮＵＭ用ドメイン名への変換やＩＰアドレスの設定を行うリゾルバ機能を有する。公衆網Ｉ／Ｆ部７は、ＰＳＴＮ回線との接続インターフェースでありＦＡＸ送受信の制御を行う。
ＦＡＸプロトコル生成／解析部８は、ＦＡＸ及びＴ．３８で送信する場合にＦＡＸプロトコルを生成／解析する。画像変換制御部９は、画像の圧縮伸長、変倍や線密度変換、画像差し込み処理等を行うユニットである。アドレス管理部１０は、ワンタッチやグループ等のアドレスデータを管理する。
図２は図１に示す画像通信装置が組み込まれたネットワーク構成図である。装置Ａ（画像通信装置）が、ＤＮＳサーバに問い合わせをして、回答をもらい、装置Ｂ（画像通信装置）にそれを送信する様子を示す。また、図３はアドレスデータベースを示す図である。
【０００８】
以下、図４乃至図１０のフローに基づいて本発明の画像通信装置の動作を説明するが、各図において、同一処理は同一ステップ番号を付して重複する説明は省略する。
図４は本発明の画像通信装置における第１の制御例を示すフローチャートである。ユーザは入力する電話番号が論理アドレスである場合は（Ｓ１でＹ）、電話番号の入力に続き論理アドレスの指定を行う。またワンタッチキーを指定する場合は、あらかじめワンタッチキーの登録段階で論理アドレス指定をセットすることもできる。
宛先指定時に論理アドレスと指定された宛先は、送信前にＥＮＵＭ用ドメイン名に変換を行い（Ｓ２）ＤＮＳサーバに問い合わせを行う（Ｓ３）。例えば電話番号からＥＮＵＭ用のドメイン名8.7.6.5.4.3.2.1.3.1.8.e164.arpaに変換されると、ネットワークＩ／Ｆ部６のリゾルバがルートサーバから順番にたどり、8.7.6.5.4.3.2.1.3.1.8.e164.arpaを管理するサーバからＮＡＰＴＲレコードを呼び出し、実際に接続送信するためのアドレスリストの取得を行う（Ｓ４）。
そして、取得できたアドレスリストから１つのプロトコルを選択し送信する（Ｓ５、Ｓ６）。アドレス情報がサーバから取得することができなかった場合には（Ｓ４でＮ）再送待ちの処理に入り、一定時間後、再送処理を行う。
本制御例では、論理アドレスとしてサーバから複数のプロトコルサービスのアドレス情報を取得することができるため、電話番号１つで、メールアドレスやＷｅｂ、ＳＩＰ等のＵＲＩを引き出すことができ、機器がサポートしているプロトコルサービスであれば簡単に送信することができる。
【０００９】
図５は本発明の画像通信装置における第２の制御例を示すフローチャートである。ＤＮＳサーバから実際に送信する実アドレスの情報が取得できたならば、取得できたアドレスに対して接続処理を行うが、アドレス情報が取得できなかった場合には、ユーザＩ／Ｆ部２から入力されたアドレス（電話番号）に対して接続し（Ｓ７、Ｓ６）ＦＡＸ送信する。
本制御例では、ネットワークトラブル等が発生し、ネットワーク上のサーバから実際に送信するＵＲＩが取得できない場合にも、公衆網を使った送信だけはできるようにすることができる。
図６は本発明の画像通信装置における第３の制御例を示すフローチャートである。ユーザから入力された電話番号は第１の制御例と同様に、必ず一旦ＥＮＵＭ用ドメイン名に変換を行い、ＤＮＳサーバへ問い合わせを行う。
ＤＮＳサーバからアドレス情報を取得することができたならばその取得できたうちの１つのアドレスに対して送信を行う。またサーバからアドレス情報を取得することができなかった場合には、入力された電話番号を使ってそのまま公衆網へ発呼しＦＡＸ送信処理を行う。
本制御例では、ユーザが宛先指定ごとに論理アドレスであるかどうか指定しなくても、論理アドレスとしてＵＲＩが取得できる場合には取得したアドレスへ送信し、取得できない場合はそのまま公衆網へ送信することができるため、送信操作を簡単にすることができる。
【００１０】
図７は本発明の画像通信装置における第４の制御例を示すフローチャートである。オペレータが宛先を入力して送信指示したならば、入力された電話番号がアドレス管理部１０に学習しているアドレステーブルに存在するかどうかの確認を行い（Ｓ８）、アドレステーブルに存在している場合は、ネットワーク上のＤＮＳサーバに問い合わせを行うことをせず、入力された電話番号そのままで公衆網へ発呼し送信処理を行う。
入力された電話番号がアドレステーブルに存在しない場合には、第１の制御例と同様にＤＮＳサーバへ問い合わせを行い接続するアドレス情報を取得する。アドレスが取得できた場合は取得できたアドレスに接続し送信処理を行うが、アドレス情報が取得できなかった場合には入力された電話番号へ発呼し送信を行う。
また入力された電話番号に対してそのまま発呼し送信が成功した場合は（Ｓ９でＹ）、アドレス管理部１０にそのアドレスデータを記憶し（Ｓ１０）、その電話番号については以降、ＤＮＳサーバへの問い合わせをせず直接送信するアドレスとして学習する（Ｓ１１）。
本制御例では、第３の制御例においてさらに、ネットワーク上のサーバにＵＲＩが登録されていないアドレスについては再度同じアドレスに対して送信要求が行われた場合に、ネットワーク上のサーバへ問い合わせをすることなく送信を行うことができるので、無駄な処理や送信開始時間の短縮を図ることができる。
【００１１】
図８は本発明の画像通信装置における第５の制御例を示すフローチャートである。送信処理開始時に初めての送信処理の場合には（Ｓ１２でＹ）、ネットワーク上のＤＮＳサーバに対して実アドレス情報の問い合わせを行う。また複数のアドレスが取得できた場合についても全てのアドレス情報をアドレス管理部１０に一時的に記憶する。
また取得したアドレス情報は優先度情報と合わせて記憶し、次に発呼する送信アドレスを決定しその情報も記憶する。一番初めは送信アドレスは最も優先度の高いアドレスにセットする。セットされたアドレスを使って画像データの送信を行う。
送信処理が失敗した場合は、再送処理待ちに入り一定期間後に再度送信処理を行う。再送処理開始時はアドレス管理部１０に記憶したアドレス情報の中で次に優先度の高いアドレスにセットし直し（Ｓ１３）、今度はそのアドレスに対して発呼し送信処理を試みる。
送信が成功した場合はジョブをクローズするとともに、アドレス管理部１０に一時記憶した関連アドレス情報をクリアする。送信が失敗した場合には再送信待ちに入り、優先度順にラウンドロビンで再送処理を繰り返す。
本制御例では、ネットワーク上のサーバから複数のアドレス情報を取得できた場合、送信処理が失敗したならば他のＵＲＩへ送信することで送信失敗の可能性を低くすると共に、送信完了までの時間を短くすることができる。
【００１２】
図９は本発明の画像通信装置における第６の制御例を示すフローチャートである。第５の制御例と同様に、ネットワーク上のＤＮＳサーバから取得したアドレス情報は、一時的にアドレス管理部１０に記憶する。
アドレス情報が取得できた場合は、取得できたアドレスに対して送信を行う（Ｓ１４、Ｓ６、Ｓ１５）。１つのアドレスに対して送信が完了した場合は、他に取得できたアドレスがあるかどうか確認を行い、他のアドレスがある場合は、そのアドレスに対しても送信処理を行う。送信処理終了時に全てのアドレスに対して送信が終了するまで同じ原稿を送信する（Ｓ１６、Ｓ１７）。
本制御例では、ネットワーク上のサーバから複数のアドレス情報を取得できた場合に、至急送信したい情報を最も早く相手先に伝達させるために、受け取り相手が受信可能なアドレス全てに対して情報を同報送信することで、すばやく情報伝達をすることができる。
【００１３】
図１０は本発明の画像通信装置における第７の制御例を示すフローチャートである。また、図１１は差し込み画像例を示す図である。第６の制御例と同様に、論理アドレスを元にネットワーク上のデータベースからアドレス情報を取得し、取得したアドレス情報全てに対して送信処理を行う。
また本制御例では、送信処理の中で送信宛先がネットワーク上のサーバから取得したアドレス情報なのか複数宛先が取得できたのかを、アドレス管理部１０に記憶した情報を元に判断を行い、ネットワークから複数のアドレス情報を取得し送信処理を行う場合には、画像変換制御部９でメッセージの差し込み処理を行う（Ｓ１８乃至Ｓ２０）。
本制御例では、同じ画像データが複数のプロトコルサービスを通じて受信者へ通知されるため、あらかじめ送信画像の中に登録されたＵＲＩへ同報送信したメッセージを差し込むことで、受信者の情報混乱を防ぐことができる。
【図面の簡単な説明】
【００１４】
【図１】本発明の実施の形態に係る画像通信装置のブロック図。
【図２】図１に示す画像通信装置が組み込まれたネットワーク構成図。
【図３】アドレスデータベースを示す図。
【図４】本発明の画像通信装置における第１の制御例を示すフローチャート。
【図５】本発明の画像通信装置における第２の制御例を示すフローチャート。
【図６】本発明の画像通信装置における第３の制御例を示すフローチャート。
【図７】本発明の画像通信装置における第４の制御例を示すフローチャート。
【図８】本発明の画像通信装置における第５の制御例を示すフローチャート。
【図９】本発明の画像通信装置における第６の制御例を示すフローチャート。
【図１０】本発明の画像通信装置における第７の制御例を示すフローチャート。
【図１１】差し込み画像例を示す図。
【符号の説明】
【００１５】
１  システム制御部
６  ネットワークＩ／Ｆ部
７  公衆網Ｉ／Ｆ部
【図１】
2007251289.tif 000003
【図２】
2007251289.tif 000004
【図３】
2007251289.tif 000005
【図４】
2007251289.tif 000006
【図５】
2007251289.tif 000007
【図６】
2007251289.tif 000008
【図７】
2007251289.tif 000009
【図８】
2007251289.tif 000010
【図９】
2007251289.tif 000011
【図１０】
2007251289.tif 000012
【図１１】
2007251289.tif 000013